(57)【要約】【課題】繊維製品に望ましい残香を付与でき、透明性にも優れた液状繊維製品処理剤組成物および繊維製品処理剤製品を提供する。【解決手段】（Ａ）合成スメクタイトを０．０１〜５質量％、（Ｂ）常圧における沸点が２６０℃未満であって、ＣｌｏｇＰ値が１．０以上６．０以下である香料成分（ｂ１）を含有する香料組成物を０．０１〜５質量％、（Ｃ）水溶性溶剤を０．１〜５０質量％未満、（Ｄ）ＨＬＢが１０〜１４で、ポリオキシエチレン硬化ヒマシ油、ポリオキシエチレンアルキルエーテルおよびポリオキシエチレンアルケニルエーテルから選ばれる少なくとも１種の非イオン性界面活性剤を０．０１〜５質量％含有する液状繊維製品処理剤組成物。【選択図】なし【特許請求の範囲】
【請求項１】
（Ａ）合成スメクタイトを０．０１〜５質量％、（Ｂ）常圧における沸点が２６０℃未満であって、ＣｌｏｇＰ値が１．０以上６．０以下である香料成分（ｂ１）を含有する香料組成物を０．０１〜５質量％、（Ｃ）水溶性溶剤を０．１〜５０質量％未満、（Ｄ）ＨＬＢが１０〜１４で、ポリオキシエチレン硬化ヒマシ油、ポリオキシエチレンアルキルエーテルおよびポリオキシエチレンアルケニルエーテルから選ばれる少なくとも１種の非イオン性界面活性剤を０．０１〜５質量％含有する液状繊維製品処理剤組成物。
【請求項２】
前記（Ｂ）成分が、前記香料成分（ｂ１）として、シトロネロール、リモネン、ゲラニオール、メントール、シトロネラール、シトラール及びピネンからなる群から選ばれる少なくとも１種の特定香料成分を含有し、前記（Ｂ）成分中の前記特定香料成分の含有量が１０質量％以上である、請求項１に記載の液状繊維製品処理剤組成物。
【請求項３】
さらに、（Ｅ）下記一般式（１）または（２）で表される化合物から選ばれる少なくとも１種のシリコーン化合物を含有する、請求項１または２に記載の液状繊維製品処理剤組成物。
【化１】
2011117100.tif 000011
［式（１）中、Ｒはフェニル基または炭素数１〜５のアルキル基であり、複数のＲはそれぞれ同じであっても異なってもよく、Ｒ１は一般式−ＣｘＨ２ｘＯ（Ｃ２Ｈ４Ｏ）ｙＲ２（式中、Ｒ２は水素原子または炭素数１〜５のアルキル基であり、ｘは２〜４の整数であり、ｙは５〜１５の整数である。）で表される有機基である。式（２）中、Ｒ３はフェニル基または炭素数１〜５のアルキル基であり、複数のＲ３はそれぞれ同じであっても異なってもよく、Ｒ４は一般式−ＣｐＨ２ｐＯ（Ｃ２Ｈ４Ｏ）ｑＲ５（式中、Ｒ５は水素原子または炭素数１〜５のアルキル基であり、ｐは２〜４の整数であり、ｑは５〜１５の整数である。）で表される有機基であり、ｍは１〜６の整数である。］
【請求項４】
請求項１〜３のいずれか一項に記載の液状繊維製品処理剤組成物を、トリガー式スプレー容器に収容した繊維製品処理剤製品。
【発明の詳細な説明】
【技術分野】
【０００１】
本発明は、液状繊維製品処理剤組成物に関する。
【背景技術】
【０００２】
香気の放出を長続きさせる技術を一般にロングラスティング技術という。この技術は、様々な技術分野で利用されており、例えば香料を含む柔軟剤、仕上げ剤、その他各種の繊維製品処理剤を繊維製品に適用して香料を繊維製品に付着させている。
従来、ロングラスティング技術として、マイクロカプセルの活用（例えば、特許文献１）、香料前駆体の使用（例えば、特許文献２）、特定の香料成分の組合せ（例えば、特許文献３）などが公開されている。また、香料成分と粘土鉱物とを含む複数の成分を組み合わせる技術が提案されている。たとえば特許文献４では、繊維製品に高い残香性を付与できる液体仕上げ剤組成物として、香料組成物と、有機変性粘土鉱物と、アルキレンオキシド付加型非イオン界面活性剤と、水性液体とを配合したものが提案されている。
【先行技術文献】
【特許文献】
【０００３】
【特許文献１】特開２００６−２４９３２６号公報
【特許文献２】特開２００３−５３４４４９号公報
【特許文献３】特開２００６−１２４８８４号公報
【特許文献４】特開２００９−１５５７７８号公報
【発明の概要】
【発明が解決しようとする課題】
【０００４】
しかしながら、従来の技術では、残香の付与性能の向上と、繊維製品処理剤に求められる液外観の透明性とを両立することが難しい。たとえば繊維製品に望ましい残香を充分に付与することができなかったり、ある程度良好な残香を付与できたとしても、液外観の透明性が低く、繊維製品に直接噴霧する等の用途に適さない等の問題がある。
たとえばマイクロカプセルを活用する技術は、繊維製品等、香料を適用した対象物を擦ることでカプセルを破壊し、香りを発散させる技術であり、カプセルが破壊されなければ香りは発散しない。従って、マイクロカプセルを破壊し得る程度の力が対象物に加わらないような状況下では、ロングラスティング効果を期待できない。また、そのような力を対象物に加えることができる状況下でのロングラスティング効果は高いが、擦ることによって対象物が傷むこともある。さらに、この場合に使用するマイクロカプセルは水不溶性であるため、組成物の外観を透明にすることは困難である。香料前駆体を使用した場合、前駆体から放出される香料成分の香りが持続するが、残香の香調が限定される。特定の香料の組合せの場合、ラストノートとよばれる成分の香りは持続するが、残香の香調が限定される。特許文献４に記載の方法の場合、仕上げ剤として洗濯の際に用いる分にはあまり問題にはならないが、繊維製品に直接噴霧するには液外観の透明性が充分とはいえない。
本発明は、上記事情に鑑みてなされたものであって、繊維製品に望ましい残香を付与でき、透明性にも優れた液状繊維製品処理剤組成物および繊維製品処理剤製品を提供することを目的とする。
【課題を解決するための手段】
【０００５】
上記課題を解決する本発明は、以下の態様を有する。
［１］（Ａ）合成スメクタイトを０．０１〜５質量％、（Ｂ）常圧における沸点が２６０℃未満であって、ＣｌｏｇＰ値が１．０以上６．０以下である香料成分（ｂ１）を含有する香料組成物を０．０１〜５質量％、（Ｃ）水溶性溶剤を０．１〜５０質量％未満、（Ｄ）ＨＬＢが１０〜１４で、ポリオキシエチレン硬化ヒマシ油、ポリオキシエチレンアルキルエーテルおよびポリオキシエチレンアルケニルエーテルから選ばれる少なくとも１種の非イオン性界面活性剤を０．０１〜５質量％含有する液状繊維製品処理剤組成物。
［２］前記（Ｂ）成分が、前記香料成分（ｂ１）として、シトロネロール、リモネン、ゲラニオール、メントール、シトロネラール、シトラール及びピネンからなる群から選ばれる少なくとも１種の特定香料成分を含有し、前記（Ｂ）成分中の前記特定香料成分の含有量が１０質量％以上である、［１］に記載の液状繊維製品処理剤組成物。
［３］さらに、（Ｅ）下記一般式（１）または（２）で表される化合物から選ばれる少なくとも１種のシリコーン化合物を含有する、［１］または［２］に記載の液状繊維製品処理剤組成物。
【０００６】
【化１】
2011117100.tif 000002
［式（１）中、Ｒはフェニル基または炭素数１〜５のアルキル基であり、複数のＲはそれぞれ同じであっても異なってもよく、Ｒ１は一般式−ＣｘＨ２ｘＯ（Ｃ２Ｈ４Ｏ）ｙＲ２（式中、Ｒ２は水素原子または炭素数１〜５のアルキル基であり、ｘは２〜４の整数であり、ｙは５〜１５の整数である。）で表される有機基である。式（２）中、Ｒ３はフェニル基または炭素数１〜５のアルキル基であり、複数のＲ３はそれぞれ同じであっても異なってもよく、Ｒ４は一般式−ＣｐＨ２ｐＯ（Ｃ２Ｈ４Ｏ）ｑＲ５（式中、Ｒ５は水素原子または炭素数１〜５のアルキル基であり、ｐは２〜４の整数であり、ｑは５〜１５の整数である。）で表される有機基であり、ｍは１〜６の整数である。］
【０００７】
［４］［１］〜［３］のいずれか一項に記載の液状繊維製品処理剤組成物を、トリガー式スプレー容器に収容した繊維製品処理剤製品。
【発明の効果】
【０００８】
本発明によれば、繊維製品に望ましい残香を付与でき、透明性にも優れた液状繊維製品処理剤組成物および繊維製品処理剤製品を提供できる。
【発明を実施するための形態】
【０００９】
≪液状繊維製品処理剤組成物≫
本発明の液状繊維製品処理剤組成物（以下、単に処理剤組成物ということがある。）は、以下に示す（Ａ）〜（Ｄ）成分を含有する。
本発明の処理剤組成物は、さらに、後述する（Ｅ）成分を含有することが好ましい。
【００１０】
＜（Ａ）成分＞
（Ａ）成分は合成スメクタイトである。
スメクタイトは、層状構造を有する無機化合物であり、たとえばモンモリロナイト、バイデライト、ノントロナイト、サポナイト、ヘクトライト、ソーコナイト、スチーブンサイト等が挙げられる。
スメクタイトには天然産出品と合成品とが存在する。天然には、主に、粘土の主成分として産出され、たとえばベントナイトはモンモリロナイトを主成分として含んでいる。
本発明においては、処理剤組成物の外観を透明または半透明にする観点から、合成品を用いることが必要である。特に、２５℃のイオン交換水を用いて当該合成スメクタイトの１質量％水溶液を調製した場合に、該水溶液の外観が透明または半透明となるものを用いることが好ましい。
ここで、本発明の処理剤組成物または前記１質量％水溶液の外観が「透明または半透明」であるとは、吸光度計（例えば、ＨＩＴＡＣＨＩ  Ｓｐｅｃｔｒｏｐｈｏｔｏｍｅｔｅｒ  Ｕ−３０１０、１ｃｍ×１ｃｍの石英セル、対照はイオン交換水）を使用し、当該処理剤組成物または１質量％水溶液の波長６６０ｎｍにおける吸光度を測定した際に、その測定値が１．５未満であることを意味する。
前記１質量％水溶液の前記吸光度の測定値は、１．０未満であることが好ましく、０．８未満であることがより好ましい。
また、本発明の処理剤組成物の前記吸光度の測定値は、１．０未満であることがより好ましい。
（Ａ）成分としては、合成ヘクトライトおよび合成サポナイトから選ばれる少なくとも１種が好ましく、合成ヘクトライトが特に好ましい。
市場で入手可能な（Ａ）成分として、例えば、スメクトンＳＡ（クニミネ工業（株）製）、イオナイトＨ（水澤化学工業（株）製）、ＳＷＮ、ＳＷＦ（以上、コープケミカル（株）製）、ラポナイトＲＤ、ラポナイトＸＬＧ、ラポナイトＳ４８２（以上、ロックウッドアディティヴス（株）製）などが挙げられる。これらの中でも、処理剤組成物の外観の透明性、及び残香性の観点から、ラポナイトＲＤ、ラポナイトＸＬＧ（以上、ロックウッドアディティヴス（株）製）が特に好ましい。
（Ａ）成分は、１種を単独で用いてもよく、２種類以上を組み合わせて用いてもよい。
本発明の処理剤組成物中、（Ａ）成分の含有量は、処理剤組成物の全量を基準として、０．０１〜５質量％であり、残香の香り強度を適度なものにし、フレッシュな香りを長続きさせる観点から、０．５〜２質量％が好ましい。一方、５質量％を超えて配合すると処理剤組成物の外観を透明にすることが困難となるおそれがある
【００１１】
＜（Ｂ）成分＞
（Ｂ）成分は、常圧（１気圧、１０１３．２５ｈＰａ）における沸点が２６０℃未満であって、ＣｌｏｇＰ値が１．０以上６．０以下である香料成分（ｂ１）を含有する香料組成物である。香料成分（ｂ１）を含有することにより、本発明の処理剤組成物で繊維製品を処理した際、フレッシュな香りを感じさせることが可能となる。加えて消費者の嗜好性も高い。
香料成分（ｂ１）の沸点は、２４０℃未満が好ましく、２００℃未満がより好ましい。また、該沸点は、香りが衣類等の繊維製品に残りやすい点から、１４０℃以上が好ましく、１５０℃以上がより好ましい。
香料成分（ｂ１）のＣｌｏｇＰ値は、２．０以上５．０以下であることが好ましく、２．５以上５．０以下であることがより好ましい。
【００１２】
本発明において、香料成分の沸点は、例えば「Ｐｅｒｆｕｍｅ  ａｎｄ  Ｆｌａｖｏｒ  Ｃｈｅｍｉｃａｌｓ  」Ｖｏｌ．Ｉａｎｄ  ＩＩ，Ｓｔｅｆｆｅｎ  Ａｒｃｔａｎｄｅｒ，Ａｌｌｕｒｅｄ  Ｐｕｂ．Ｃｏ．（１９９４）及び「合成香料  化学と商品知識」、印藤元一著、化学工業日報社（１９９６）及び「Ｐｅｒｆｕｍｅ  ａｎｄ  Ｆｌａｖｏｒ  Ｍａｔｅｒｉａｌｓ  ｏｆ  Ｎａｔｕｒａｌ  Ｏｒｉｇｉｎ」，Ｓｔｅｆｆｅｎ  Ａｒｃｔａｎｄｅｒ，Ａｌｌｕｒｅｄ  Ｐｕｂ．Ｃｏ．（１９９４）及び「香りの百科」、日本香料協会編、朝倉書店（１９８９）及び「香料と調香の基礎知識」、産業図書（１９９５）に記載されており、本明細書ではそれらの文献から引用する。
ＣｌｏｇＰ値とは、化学物質について、１−オクタノール中及び水中の平衡濃度の比を表す１−オクタノール／水分配係数Ｐを、底１０に対する対数ｌｏｇＰの形態で表した値である。前記ＣｌｏｇＰ値は、ｆ値法（疎水性フラグメント定数法）により、化合物の化学構造をその構成要素に分解し、各フラグメントの有する疎水性フラグメント定数・ｆ値を積算して求めることができる（例えば、Ｃｌｏｇ  ３  Ｒｅｆｅｒｅｎｃｅ  Ｍａｎｕａｌ  ＤａｙｌｉｇｈｔＳｏｆｔｗａｒｅ  ４．３４，Ａｌｂｅｒｔ  Ｌｅｏ，Ｄａｖｉｄ  Ｗｅｉｎｉｎｇｅｒ，  Ｖｅｒｓｉｏｎ  １，Ｍａｒｃｈ  １９９４  参照）。
一般に、香料成分はＣｌｏｇＰ値が大きいほど疎水的であることから、ＣｌｏｇＰ値が小さい香料成分を多く含んで構成された香料組成物は、ＣｌｏｇＰ値が大きい香料成分を多く含んで構成された香料組成物よりも親水的な香料であるといえる。
前記ＣｌｏｇＰ値が前記範囲内であると、香料成分の親水性と疎水性とのバランスが良好で、より香気バランスに優れ嗜好性が高い香料組成物となる点で有利である。
【００１３】
香料成分（ｂ１）としては、特に制限はなく、目的に応じて、公知の香料成分のなかから、所望の沸点およびＣｌｏｇＰ値を有するものを適宜選択して用いることができる。
公知の香料成分としては、例えば、繊維製品用仕上げ剤や柔軟剤に一般的に使用される香料成分や、人体に対する生理活性機能を持つ香料成分、蚊などの虫に対する忌避効果のある香料成分などが挙げられる。このような香料成分の具体例としては、例えば、アルデヒド類、フェノール類、アルコール類、エーテル類、エステル類、ハイドロカーボン類、ケトン類、ラクトン類、ムスク類、テルペン骨格を有する香料、天然香料、動物性香料などが挙げられる。
前記アルデヒド類としては、特に制限はなく、目的に応じて適宜選択することができ、例えば、ウンデシレンアルデヒド、ラウリルアルデヒド、アルデヒドＣ−１２ＭＮＡ、ミラックアルデヒド、α−アミルシンナミックアルデヒド、シクラメンアルデヒド、エチルバニリン、ヘリオトロピン、アニスアルデヒド、α−ヘキシルシンナミックアルデヒド、オクタナール、リグストラール、リリアール、リラール、トリプラール、バニリン、ヘリオナールなどが挙げられる。
前記フェノール類としては、特に制限はなく、目的に応じて適宜選択することができ、例えば、オイゲノール、イソオイゲノールなどが挙げられる。
前記アルコール類としては、特に制限はなく、目的に応じて適宜選択することができ、例えば、バクダノール、ジハイドロミルセノール、ジハイドロリナロール、リナロール、ネロール、サンダロール、サンタレックス、ターピネオール、テトラハイドロリナロール、フェニルエチルアルコールなどが挙げられる。
前記エーテル類としては、特に制限はなく、目的に応じて適宜選択することができ、例えば、セドランバー、グリサルバ、メチルオイゲノール、メチルイソオイゲノールなどが挙げられる。
前記エステル類としては、特に制限はなく、目的に応じて適宜選択することができ、例えば、シス−３−ヘキセニルアセテート、シス−３−ヘキセニルプロピオネート、シス−３−ヘキセニルサリシレート、ｐ−クレジルアセテート、ｐ−ｔ−ブチルシクロヘキシルアセテート、アミルアセテート、メチルジヒドロジャスモネート、アミルサリシレート、ベンジルサリシレート、ベンジルベンゾエート、ベンジルアセテート、セドリルアセテート、シトロネリルアセテート、デカハイドロ−β−ナフチルアセテート、ジメチルベンジルカルビニルアセテート、エリカプロピオネート、エチルアセトアセテート、エリカアセテート、ゲラニルアセテート、ゲラニルフォーメート、ヘディオン、リナリルアセテート、β−フェニルエチルアセテート、ヘキシルサリシレート、スチラリルアセテート、ターピニルアセテート、ベチベリルアセテート、ｏ−ｔ−ブチルシクロヘキシルアセテート、マンザネート、アリルヘプタノエートなどが挙げられる。
前記ハイドロカーボン類としては、特に制限はなく、目的に応じて適宜選択することができ、例えば、ミルセンなどが挙げられる。
前記ケトン類としては、特に制限はなく、目的に応じて適宜選択することができ、例えば、α−イオノン、β−イオノン、メチル−β−ナフチルケトン、α−ダマスコン、β−ダマスコン、δ−ダマスコン、シス−ジャスモン、メチルイオノン、アリルイオノン、カシュメラン、ジハイドロジャスモン、イソイースーパー、ベルトフィックス、イソロンジフォラノン、コアボン、ローズフェノン、ラズベリーケトン、ダイナスコンなどが挙げられる。
前記ラクトン類としては、特に制限はなく、目的に応じて適宜選択することができ、例えば、γ−デカラクトン、γ−ウンデカラクトン、γ−ノナラクトン、γ−ドデカラクトン、クマリン、アンブロキサンなどが挙げられる。
前記ムスク類としては、特に制限はなく、目的に応じて適宜選択することができ、例えば、シクロペンタデカノライド、エチレンブラシレート、ガラキソライド、ムスクケトン、トナリッド、ニトロムスク類などが挙げられる。
前記テルペン骨格を有する香料としては、特に制限はなく、目的に応じて適宜選択することができ、例えば、ゲラニオール（ゼラニオール）、ネロール、リナロール、シトラール、シトロネロール、メントール、ミント、シトロネラール、ミルセン、ピネン、リモネン、テレピネロール、カルボン、ヨノン、カンファー（樟脳）、ボルネオールなどが挙げられる。
前記天然香料としては、特に制限はなく、目的に応じて適宜選択することができ、例えば、オレンジ油、レモン油、ライム油、プチグレン油、ユズ油、ネロリ油、ベルガモット油、ラベンダー油、ラバンジン油、アビエス油、アニス油、ベイ油、ボアドローズ油、イランイラン油、シトロネラ油、ゼラニウム油、ペパーミント油、ハッカ油、スペアミント油、ユーカリ油、レモングラス油、パチュリ油、ジャスミン油、ローズ油、シダー油、ベチバー油、ガルバナム油、オークモス油、パイン油、樟脳油、白檀油、芳樟油、テレピン油、クローブ油、クローブリーフ油、カシア油、ナツメッグ油、カナンガ油、タイム油などの精油が挙げられる。
前記動物性香料としては、特に制限はなく、目的に応じて適宜選択することができ、例えば、じゃ香、霊猫香、海狸香、竜涎香などが挙げられる。
【００１４】
（Ｂ）成分中に含まれる香料成分（ｂ１）は１種であっても２種以上であってもよい。
本発明においては、残香が特にフレッシュな香りになることから、（Ｂ）成分が、香料成分（ｂ１）として、シトロネロール、リモネン、ゲラニオール、メントール、シトロネラール、シトラール及びピネンからなる群から選ばれる少なくとも１種の特定香料成分を含有することが好ましい。この場合、（Ｂ）成分中の前記特定香料成分の含有量は、（Ｂ）成分の全量を基準として、１０質量％以上であることが好ましく、２０質量％以上がより好ましく、３０質量％以上がさらに好ましく、４０質量％以上が特に好ましい。
（Ｂ）成分中、香料成分（ｂ１）の含有量は、（Ｂ）成分の全量を基準として、３０質量％以上が好ましく、５０質量％以上がより好ましく、８０質量％以上がさらに好ましい。香料成分（ｂ１）の割合が多いほど、残香がさらにフレッシュな香りになる。
（Ｂ）成分は、本発明の効果を損なわない範囲で、香料成分（ｂ１）以外の香料成分（以下、香料成分（ｂ２）という。）を含有してもよい。香料成分（ｂ２）としては、特に限定されず、たとえば上述した公知の香料成分のなかから、香料成分（ｂ１）に該当しないものを適宜選択して用いることができる。
【００１５】
（Ｂ）成分は、香料成分以外に、溶剤（香料用溶剤）を含有してもよい。
香料用溶剤としては、香料成分とともに通常用いる溶剤が利用でき、たとえばアセチン（トリアセチン）、ＭＭＢアセテート（３−メトキシ−３−メチルブチルアセテート）、スクロースジアセテートヘキサイソブチレート、エチレングリコールジブチレート、ヘキシレングリコール、ジブチルセバケート、デルチールエキストラ（イソプロピルミリステート）、メチルカルビトール（ジエチレングリコールモノメチルエーテル）、カルビトール（ジエチレングリコールモノエチルエーテル）、ＴＥＧ（トリエチレングリコール）、安息香酸ベンジル、プロピレングリコール、フタル酸ジエチル、トリプロピレングリコール、アボリン（ジメチルフタレート）、デルチルプライム（イソプロピルパルミテート）、ジプロピレングリコール、ファルネセン、ジオクチルアジペート、トリブチリン（グリセリルトリブタノエート）、ヒドロライト−５（１，２−ペンタンジオール）、プロピレングリコールジアセテート、セチルアセテート（ヘキサデシルアセテート）、エチルアビエテート、アバリン（メチルアビエテート）、シトロフレックスＡ−２（アセチルトリエチルシトレート）、シトロフレックスＡ−４（トリブチルアセチルシトレート）、シトロフレックスＮｏ．２（トリエチルシトレート）、シトロフレックスＮｏ．４（トリブチルシトレート）、ドゥラフィックス（メチルジヒドロアビエテート）、ＭＩＴＤ（イソトリデシルミリステート）、ポリリモネン（リモネンポリマー）、１，３−ブチレングリコール等が挙げられる。
（Ｂ）成分中、前記香料用溶剤の含有量は、（Ｂ）成分の全量を基準として、０〜３０質量％が好ましく、０．１〜３０質量％がより好ましく、１〜２０質量％がさらに好ましい。
（Ｂ）成分は、本発明の効果を妨げない限り、必要に応じて、酸化防止剤、防腐剤等の添加剤を通常の使用量の範囲内で配合することも可能である。
【００１６】
本発明の処理剤組成物中、（Ｂ）成分の含有量は、処理剤組成物の全量を基準として、０．０１〜５質量％であり、残香の香り強度を適度なものにし、フレッシュな香りを長続きさせる観点から、０．５〜２質量％が好ましい。
また、本発明の処理剤組成物中、（Ａ）成分および（Ｂ）成分の含有量の比率は、質量比で、（Ａ）成分：（Ｂ）成分＝１：３〜３：１の範囲であることが好ましく、１：２〜２：１の範囲であることがより好ましく、１：２〜１：１の範囲であることがさらに好ましい。該比率が上記範囲内であると、本発明の処理剤組成物を噴霧等により適用した繊維製品の香り強度を適度なものにし、トップノートを含むフレッシュな香りを長続きさせることができる。
【００１７】
＜（Ｃ）成分＞
（Ｃ）成分は水溶性溶剤である。（Ｃ）成分は、本発明の処理剤組成物の外観を透明または半透明なものとするために必要である。
ここで「水溶性溶剤」とは、水に任意の割合で溶解する溶剤のことを意味する。
（Ｃ）成分としては、エタノール、イソプロパノールなどの、炭素数２〜３の１価アルコール；エチレングリコール、プロピレングリコール、ジプロピレングリコールなどの、炭素数２〜６のグリコール；グリセリンなどの炭素数３〜８の３〜６価の多価アルコール；ジエチレングリコールモノブチルエーテルなどの、炭素数３〜８の多価アルコール誘導体；などが挙げられる。香気や価格の点からエタノール、グリセリン、ジエチレングリコールモノブチルエーテルが好ましい。
（Ｃ）成分としては、これらのいずれか１種を単独で用いてもよく、２種以上を併用してもよい。
本発明の処理剤組成物中、（Ｃ）成分の含有量は、処理剤組成物の全量を基準として、０．１〜５０質量％未満であり、５〜４５質量％が好ましく、２０〜４０質量％がより好ましい。この範囲内とすることで、処理剤組成物の外観を透明から半透明な状態にすることができる。
【００１８】
＜（Ｄ）成分＞
（Ｄ）成分は、ＨＬＢが１０〜１４で、ポリオキシエチレン硬化ヒマシ油、ポリオキシエチレンアルキルエーテルおよびポリオキシエチレンアルケニルエーテルから選ばれる少なくとも１種の非イオン性界面活性剤である。（Ｄ）成分を配合することにより、処理剤組成物の外観を透明または半透明にすることができる。
「ＨＬＢ」とは、界面活性剤の分子がもつ親水性と親油性の相対的な強さのことであり、その親水親油バランスを数量的に表したものをいう。ＨＬＢが１０〜１４の範囲を外れると、液外観を充分に透明または半透明とすることが難しい。（Ｄ）成分のＨＬＢは、１１〜１３が好ましい。
ポリオキシエチレン硬化ヒマシ油、ポリオキシエチレンアルキルエーテル、ポリオキシエチレンアルケニルエーテルは、それぞれ、硬化ヒマシ油、アルキルアルコール、アルケニルアルコールにエチレンオキシドが付加したものである。
ポリオキシエチレン硬化ヒマシ油におけるオキシエチレン基の平均付加モル数は２０〜６０モルが好ましく、２０〜５０モルがより好ましく、３０〜４０モルが特に好ましい。
ポリオキシエチレンアルキルエーテルにおけるアルキル基、ポリオキシエチレンアルケニルエーテルにおけるアルケニル基の炭素数は、それぞれ、１０〜２２が好ましく、１２〜１８がより好ましい。
ポリオキシエチレンアルキルエーテルおよびポリオキシエチレンアルケニルエーテルにおけるオキシエチレン基の平均付加モル数は、それぞれ、３〜２０モルが好ましく、３〜１０モルがより好ましい。
（Ｄ）成分としては、オキシエチレン基の平均付加モル数が３０〜４０モルであるポリオキシエチレン硬化ヒマシ油が最も好ましい。
（Ｄ）成分としては、これらのいずれか１種を単独で用いてもよく、２種以上を併用してもよい。
本発明の処理剤組成物中、（Ｄ）成分の含有量は、処理剤組成物の全量を基準として、０．０１〜５質量％未満であり、０．１〜２質量％が好ましく、０．５〜１質量％がより好ましい。この範囲内とすることで、処理剤組成物の外観を透明から半透明な状態にすることができ、処理剤組成物を繊維製品に噴霧したあとシミなどができにくい。
【００１９】
＜（Ｅ）成分＞
（Ｅ）成分は、下記一般式（１）または（２）で表される化合物から選ばれる少なくとも１種のシリコーン化合物である。（Ｅ）成分は、処理剤組成物の繊維製品への浸透力を向上させ、残香の強度を高める効果を与える。
【００２０】
【化２】
2011117100.tif 000003
［式（１）中、Ｒはフェニル基または炭素数１〜５のアルキル基であり、複数のＲはそれぞれ同じであっても異なってもよく、Ｒ１は一般式−ＣｘＨ２ｘＯ（Ｃ２Ｈ４Ｏ）ｙＲ２（式中、Ｒ２は水素原子または炭素数１〜５のアルキル基であり、ｘは２〜４の整数であり、ｙは５〜１５の整数である。）で表される有機基である。式（２）中、Ｒ３はフェニル基または炭素数１〜５のアルキル基であり、複数のＲ３はそれぞれ同じであっても異なってもよく、Ｒ４は一般式−ＣｐＨ２ｐＯ（Ｃ２Ｈ４Ｏ）ｑＲ５（式中、Ｒ５は水素原子または炭素数１〜５のアルキル基であり、ｐは２〜４の整数であり、ｑは５〜１５の整数である。）で表される有機基であり、ｍは１〜６の整数である。］
【００２１】
式（１）中、Ｒとしては、炭素数１〜３のアルキル基が好ましく、メチル基またはエチル基がより好ましい。
Ｒ２としては、水素原子または炭素数１〜３のアルキル基が好ましく、水素原子またはメチル基がより好ましい。
ｘとしては、２または３が好ましく、３がより好ましい。
ｙとしては、７〜１５の整数が好ましく、７〜１２の整数がより好ましい。
Ｒ３としては、炭素数１〜３のアルキル基が好ましく、メチル基またはエチル基がより好ましい。
Ｒ５としては、水素原子または炭素数１〜３のアルキル基が好ましく、水素原子またはメチル基がより好ましい。
ｐとしては、２または３が好ましく、３がより好ましい。
ｑとしては、７〜１５の整数が好ましく、７〜１２の整数がより好ましい。
ｍとしては、２〜５の整数が好ましく、２〜４の整数がより好ましい。
【００２２】
（Ｅ）成分としては、上記の中でも、一般式（１）で表される化合物が、繊維製品に処理剤組成物を繊維の奥まで浸透させて残香強度を高めることができる点からより好ましい。
（Ｅ）成分は、例えばオルガノハイドロジェンポリシロキサンとポリオキシアルキレンアリルエーテルとを付加させる等の公知の方法で製造することができる。また、市場で入手可能な物として、ＳＩＬＷＥＴ  Ｌ−７７（モメンティブ・パフォーマンス・マテリアルズ・ジャパン合同会社製）等が挙げられる。
（Ｅ）成分としては、これらのいずれか１種を単独で用いてもよく、２種以上を併用してもよい。
本発明の処理剤組成物中、（Ｅ）成分の含有量は、処理剤組成物の全量を基準として、０．０１質量％以上が好ましく、０．０５質量％以上がより好ましく、０．１質量％以上がさらに好ましい。０．０１質量％以上にすることにより、（Ｅ）成分を配合することによる効果が充分に発揮される。また、本発明の処理剤組成物中、（Ｅ）成分の含有量は、処理剤組成物の全量を基準として、５質量％以下が好ましく、２質量％以下がより好ましく、１質量％以下がさらに好ましい。（Ｅ）成分の配合量を５質量％以下とすることにより、処理剤組成物を散布した繊維製品にしみが発生することを防ぐことができる。
【００２３】
本発明の処理剤組成物は、本発明の効果を損なわない範囲で、上記（Ａ）〜（Ｅ）成分以外の他の成分を含有してもよい。該他の成分としては、たとえばｐＨ調整剤、酸化防止剤、キレート剤、防腐剤、抗菌剤、平均粒子径が５００ｎｍ以下のシリカ微粒子等が挙げられる。なお、「平均粒子径」は、一般的な粒度分布測定装置（例えば、濃厚系粒径アナライザー  ＦＰＡＲ-１０００  大塚電子（株）社製）を用いて測定できる。
本発明の処理剤組成物は、通常、（Ａ）〜（Ｅ）成分、および上記任意の他の成分を除く残部は水である。本発明の処理剤組成物中、水の含有量は、処理剤組成物の全量を基準として、８０質量％以下が好ましく、６０質量％以下がより好ましい。
本発明の処理剤組成物の調製方法は特に限定されず、常法に従って調製できる。たとえば上記各成分を、必要に応じて水とともに混合することにより調製できる。より透明性を高めるために、（Ａ）成分の水溶液と、（Ｂ）〜（Ｅ）成分の水溶液を別々に調製し、最後に両者を混合する方法が好ましい。
【００２４】
本発明の処理剤組成物は、香気の安定性を高める観点から、２５℃におけるｐＨが５〜１１であることが好ましく、７〜１０であることがより好ましい。該ｐＨは、塩酸や水酸化ナトリウムなどのｐＨ調整剤により調節できる。
本発明の処理剤組成物は、ハンドリング性の点から、２５℃における粘度が１０ｍＰａ・ｓ以下であることが好ましい。特にスプレー容器に収容して使用する場合には、該粘度が５ｍＰａ・ｓ以下であることが好ましい。該粘度は、（Ｃ）成分や水の配合量、（Ａ）成分の種類・配合量等により調節できる。
【００２５】
以上説明した本発明の処理剤組成物によれば、繊維製品に望ましい残香を付与できる。たとえば多様な香料成分を配合可能であることから付与する香調が限定されない。また、付与した香りの強度やフレッシュさにも優れており、該香りの持続性にも優れる。
また、本発明の処理剤組成物は、透明性にも優れており、透明または半透明の外観を有する。そのため、特にトリガー式スプレー容器に収容して繊維製品に噴霧する際、透明容器にも収納することができ商品展開の幅が広がるとともに、内容物が沈殿する、或いはスプレーノズルに詰まる等の問題を生じにくい。そのため、本発明の処理剤組成物は、トリガー式スプレー容器用の内容液として好適である。
さらに、本発明の処理剤組成物は、当該処理剤組成物中に含まれる（Ａ）成分の分散安定性等も良好であり、透明または半透明の外観を長期にわたって安定に維持できる。
上記効果が得られる理由は、定かではないが、（Ａ）成分が合成品であるため、粒子径が小さく且つ粒度分布の幅が狭い、夾雑物が少ない等により（Ｃ）成分、または（Ｃ）成分と水との混合物中に均一に分散するとともに、（Ａ）成分の層間に（Ｂ）成分中の香料成分が効率よく保持されること等が考えられる。さらに、（Ｄ）成分を加えることにより、（Ｂ）成分を担持した（Ａ）成分が凝集することが防止され、透明度を高めることができると考えられる。
【００２６】
本発明の処理剤組成物による繊維製品の処理は、たとえば該処理剤組成物を、トリガー式スプレー容器に収容し、繊維製品に直接噴霧することにより実施できる。噴霧後、必要に応じて乾燥処理を行ってもよい。
繊維製品としては、特に制限されるものではなく、たとえば衣類、カーテン、ソファー、カーペット、タオル、ハンカチ、シーツ、マクラカバー等が挙げられる。
繊維製品に対する処理剤組成物の塗布量は、繊維製品１００ｇあたり、０．５〜１０ｇが好ましく、１〜５ｇがより好ましい。
【００２７】
≪繊維製品処理剤製品≫
本発明の繊維製品処理剤製品は、前記本発明の処理剤組成物を、トリガー式スプレー容器（以下、トリガー容器という。）に収容したものである。
トリガー容器としては、特に限定されず、一般に、衣類等の繊維製品に対して香りや消臭効果などの付与等を行うために用いられている繊維製品処理剤製品に用いられているトリガー容器と同様のものを使用できる。
本発明に使用するトリガー容器としては、噴霧性状、スプレーパターンが良好であること、アフタードローが発生しないとの観点から、蓄圧式のトリガー容器が好ましい。
また、１回の噴霧量は、処理剤組成物を散布した繊維製品にしみが発生することを防ぐ観点、また、手に過度の疲労感を与えずに好ましい香りを付与するとの観点から、０．２〜０．６ｇであることが好ましい。
【実施例】
【００２８】
本発明について、実施例を示してさらに具体的に説明する。ただし本発明はこれらに限定されるものではない。
以下の各実施例および比較例にて使用した原料および評価方法を以下に示す。
【００２９】
＜使用原料＞
［（Ａ）成分］
Ａ−１：合成ヘクトライト（ロックウッド（株）製「Ｌａｐｏｎａｉｔｅ  ＸＧＤ」）。
Ａ−２：合成ヘクトライト（ロックウッド（株）製「Ｌａｐｎａｉｔｅ  ＲＤ」）。
Ａ―３：天然ベントナイト（クニミネ工業（株）製「クニピアＦ」）。
Ａ―４：有機変性ベントナイト（（株）ホージュン製「エスベンＮ−４００」）。
【００３０】
［（Ｂ）成分］
Ｂ−１：表４に示す組成の香料組成物（ｂ−１）［特定香料成分含有量２１％］。
Ｂ−２：表５に示す組成の香料組成物（ｂ−２）［特定香料成分含有量４１．５％］。
Ｂ−３：表６に示す組成の香料組成物（ｂ−３）［特定香料成分含有量７９．５％］。
Ｂ−４：表７に示す組成の香料組成物（ｂ−４）［特定香料成分含有量５％］。
【００３１】
［（Ｃ）成分］
Ｃ−１：エタノール（日本合成アルコール（株）社製）。
Ｃ−２：ジエチレングリコールモノブチルエーテル（日本乳化剤社製）。
【００３２】
［（Ｄ）成分］
Ｄ−１：ポリオキシエチレン硬化ヒマシ油（日本エマルジョン（株）「ＥＭＡＬＥＸ  ＨＣ３０」、オキシエチレン基の平均付加モル数３０、ＨＬＢ＝１１）。
Ｄ−２：ポリオキシエチレンアルキルエーテル（日光ケミカルズ（株）製「ＮＩＫＫＯＬ  ＢＬ−４．２」、ラウリルアルコール（１−ドデカノール）のエチレンオキシド付加物、オキシエチレン基の平均付加モル数４、ＨＬＢ＝１１．５）。
Ｄ−３：ポリオキシエチレン硬化ヒマシ油（日光ケミカルズ（株）製「ＮＩＫＫＯＬ  ＨＣＯ−１００」、オキシエチレン基の平均付加モル数１００、ＨＬＢ＝１６．５）。
【００３３】
［（Ｅ）成分］
Ｅ−１：前記一般式（１）中、Ｒが全てメチル基であり、Ｒ１が−Ｃ３Ｈ６Ｏ（Ｃ２Ｈ４Ｏ）１１−Ｈである化合物。
Ｅ−２：前記一般式（２）中、Ｒ３が全てメチル基であり、Ｒ４が−Ｃ３Ｈ６Ｏ（Ｃ２Ｈ４Ｏ）１１−ＣＨ３であり、ｍが３である化合物。
【００３４】
＜評価方法＞
［外観（透明度）の評価］
処理剤組成物の吸光度を下記測定条件にて測定した。
吸光度計：ＨＩＴＡＣＨＩ  Ｓｐｅｃｔｒｏｐｈｏｔｏｍｅｔｅｒ  Ｕ−３０１０）。
測定波長：６６０ｎｍ。
セル：１ｃｍ×１ｃｍの石英セル。
対照としてイオン交換水を用い、サンプル側のセルにイオン交換水を入れて０補正を行った。
【００３５】
上記吸光度の測定結果から、下記判定基準で各処理剤組成物の外観（透明度）を評価した。該評価結果のうち、○または◎を合格とした。
（外観の判定基準）
×：吸光度が２．０以上。 
△：吸光度が１．５以上２．０未満。
○：吸光度が１．０以上〜１．５未満。
◎：吸光度が１．０未満。 
【００３６】
［残香強度の評価］
トリガー容器として、市販の衣類手入れ剤（商品名「スタイルガード  しわもニオイもスッキリスプレー」、ライオン（株）製）の容器の中身を取り出し、よく洗浄し、しっかりと水分を乾かしたものを用意した。
評価布として、市販の肌シャツ（綿１００％）を、洗濯することなくそのまま用いた。
処理剤組成物をトリガー容器に充填し、評価布に対し、２％ｏ．ｗ．ｆ（＝処理剤組成物の重量（ｇ）／評価布の重量（ｇ）×１００）の量を均一になるよう噴霧した。その後、評価布を室温で一晩乾燥させた。
噴霧してから一日後の評価布に残っている香りの強度を、比較例１の処理剤組成物を用いて処理した評価布に残っている香りの強度を基準として、２０〜３０代の女性１０人に、下記の判定基準に従って評価してもらい、１０人の平均値を算出した。
（残香強度の判定基準）
３点：比較例１に比べ、非常に香りが残っている。
２点：比較例１に比べ、かなり香りが残っている。
１点：比較例１に比べ、やや香りが残っている。
０点：比較例１と同程度、またはそれ以下しか香りが残っていない。
【００３７】
［残香フレッシュ感の評価］
前記［残香強度の評価］と同様に処理した評価布について、噴霧してから一日後の評価布に残っている香りのフレッシュ感を、比較例１の処理剤組成物を用いて処理した評価布に残っている香りのフレッシュ感を基準として、２０〜３０代の女性１０人に、下記の判定基準に従って評価してもらい、１０人の平均値を算出した。
（残香フレッシュ感の判定基準）
３点：比較例１に比べ、非常にフレッシュな香りである。
２点：比較例１に比べ、かなりフレッシュな香りである。
１点：比較例１に比べ、ややフレッシュな香りである。
０点：比較例１と同程度、またはそれ以下のフレッシュさである。
【００３８】
＜実施例１〜１３、比較例１〜６＞
表１〜３に示す配合量で各成分を混合して処理剤組成物を調製した。
表１〜３中、各成分の配合量の単位は「質量％」であり、イオン交換水の「バランス」は、処理剤組成物の全量が１００質量％となる量である。
得られた各処理剤組成物について、上記手順で外観、残香強度および残香フレッシュ感を評価した。その結果を表１〜３に併記する。
これらの結果に示すとおり、実施例１〜１３は、外観の透明性が高かった。また、残香強度および残香フレッシュ感のいずれも２．２以上であり、対照である比較例１に比べて残香性が優れていた。残香強度は、特定香料成分の含有量が２１％以上になっているＢ−１〜Ｂ−３を用いた例で特に高く、なかでもＢ−２またはＢ−３を配合した実施例２〜３、５〜８、１２〜１３では、残香フレッシュ感も優れていた。また、（Ｅ）成分の配合の有無以外は同じ組成の実施例９〜１０と実施例４、実施例１１と実施例１、実施例１２と実施例２、実施例１３と実施例３をそれぞれ対比すると、（Ｅ）成分を配合した実施例９〜１０、１１〜１３の方が、残香強度が高かった。
一方、（Ａ）成分を配合していない比較例１〜２は、外観は良好であるものの残香性が悪く、非合成品のベントナイトであるＡ−３またはＡ−４を用いた比較例３〜４は、対照である比較例１に比べて良好な残香性を有していたが、外観が悪かった。（Ｃ）成分を６０質量％配合した比較例５は、外観が悪く、残香フレッシュ感も、実施例１〜１３に比べて低めだった。ＨＬＢが１６．５のＤ−３を配合した比較例６は、外観が不良だった。
【００３９】
【表１】
2011117100.tif 000004
【００４０】
【表２】
2011117100.tif 000005
【００４１】
【表３】
2011117100.tif 000006
【００４２】
【表４】
2011117100.tif 000007
【００４３】
【表５】
2011117100.tif 000008
【００４４】
【表６】
2011117100.tif 000009
【００４５】
【表７】
2011117100.tif 000010